(57)【要約】【課題】加入者線アクセス回線の高速、広帯域化。【解決手段】多重分離部５１は端末装置８０−１からの複数ＩＰパケットを、ＩＰパケットごとに、複数ＡＤＳＬ回線インタフェース６０−１，２，３の各々に振り分ける。複数ＡＤＳＬ回線インタフェース６０−１，２，３の各々は振り分けられたＩＰパケットをＡＴＭセルに変換し、さらにＡＤＳＬ回線信号に変換し、複数ＡＤＳＬ回線２０３−１，２，３の各々を介してＤＳＬＡＭ２０に送る。ＤＳＬＡＭ２０は複数ＤＳＬ回線２０３−１，２，３各々により送信されるＡＤＳＬ回線信号の各々よりＩＰパケットを取り出し、これらのＩＰパケットを多重する。逆に、多重分離部５１はＤＳＬＡＭ２０から複数ＡＤＳＬ回線２０３−１，２，３を介して送信されるＡＤＳＬ回線信号の各々からＩＰパケットを取り出し、これらのＩＰパケットを多重して回線信号で端末装置８０−１に送る。【選択図】      図１
2005072886.tif 000002
【特許請求の範囲】
【請求項１】
加入者構内に備えられる複数の加入者端末装置と、局に備えられるデジタル加入者線アクセス装置と、前記加入者端末装置と前記デジタル加入者線アクセス装置とを接続し、前記デジタル加入者線アクセス装置から前記加入者端末装置へ流れる下りＡＤＳＬ回線信号と前記加入者端末装置から前記デジタル加入者線アクセス装置へ流れる上りＡＤＳＬ回線信号とを運ぶ複数の非対称デジタル加入者回線（ＡＤＳＬ回線）とを有する非対称デジタル加入者回線アクセスシステムであって、
前記デジタル加入者線アクセス装置から複数のＡＤＳＬ回線の各々を介して流れる下りＡＤＳＬ回線信号を多重する多重手段と、前記加入者端末装置からの信号を複数の上りＡＤＳＬ回線信号に振り分け、振り分けられた上りＡＤＳＬ回線信号の各々を複数のＡＤＳＬ回線の各々に送出する分離手段とを有する多重分離装置を、加入者構内に備えることを特徴とする非対称デジタル加入者回線アクセスシステム。
【請求項２】
請求項１に記載の非対称デジタル加入者回線アクセスシステムにおいて、
前記加入者端末装置は、通信のための複数のパケットを生成し、これらのパケットを端末回線信号に変換して前記多重分離装置に送る手段を有し、
前記多重分離装置は、前記加入者端末装置から端末回線信号を受け、この端末回線信号から複数のパケットを取り出し、取り出された複数のパケットを、パケットごとに、複数の方路に振り分け、振り分けられたパケットの各々を上りＡＤＳＬ回線信号の各々に変換し、該上りＡＤＳＬ回線信号の各々を、複数のＡＤＳＬ回線の各々に送出する手段を有し、
前記デジタル加入者線アクセス装置は、前記多重分離装置から、複数のＡＤＳＬ回線の各々を介して運ばれる上りＡＤＳＬ回線信号の各々を受け、該上りＡＤＳＬ回線信号の各々からパケットを取り出し、これらのパケットを多重する手段と、前記加入者端末装置宛に送る複数のパケットを生成し、該複数のパケットを、パケットごとに、複数の方路に振り分け、振り分けられたパケットの各々を下りＡＤＳＬ回線信号の各々に変換し、該下りＡＤＳＬ回線信号の各々を、複数のＡＤＳＬ回線の各々に送出する手段を有し、
前記多重分離装置は、さらに、
前記デジタル加入者線アクセス装置から、複数のＡＤＳＬ回線の各々を介して運ばれる下りＡＤＳＬ回線信号の各々を受け、該下りＡＤＳＬ回線信号の各々からパケットを取り出し、取り出された複数のパケットを多重し、多重されたパケットを端末回線信号に変換し、この端末回線信号を前記加入者端末装置に送る手段を有し、
前記加入者端末装置は、さらに、前記多重分離装置からの端末回線信号を受け、この端末回線信号からパケットを取り出し受信する手段を有することを特徴とする非対称デジタル加入者回線アクセスシステム。
【請求項３】
請求項２に記載の非対称デジタル加入者回線アクセスシステムにおいて、前記パケットは、ＩＰ（インタネットプロトコル）パケットであることを特徴とする非対称デジタル加入者回線アクセスシステム。
【請求項４】
請求項２に記載の非対称デジタル加入者回線アクセスシステムにおいて、前記パケットは、ＡＴＭ（非同期転送モード）セルであることを特徴とする非対称デジタル加入者回線アクセスシステム。
【請求項５】
請求項１に記載の非対称デジタル加入者回線アクセスシステムにおいて、
前記加入者端末装置は、ＩＰ（インタネットプロトコル）通信のための複数のＩＰパケットを生成し、これらのＩＰパケットを端末回線信号に変換して前記多重分離装置に送る手段を有し、
前記多重分離装置は、前記加入者端末装置から端末回線信号を受け、この端末回線信号から複数のＩＰパケットを取り出し、取り出された複数のＩＰパケットを、パケットごとに、複数の方路に振り分け、振り分けられたＩＰパケットの各々を、ＡＴＭ（非同期転送モード）セルに分割し、さらに、上りＡＤＳＬ回線信号の各々に変換し、該上りＡＤＳＬ回線信号の各々を、複数のＡＤＳＬ回線の各々に送出する手段を有し、
前記デジタル加入者線アクセス装置は、前記多重分離装置から、複数のＡＤＳＬ回線の各々を介して運ばれる上りＡＤＳＬ回線信号の各々を受け、該上りＡＤＳＬ回線信号の各々からＩＰパケットを取り出し、これらのＩＰパケットを多重する手段と、前記加入者端末装置宛に送る複数のＩＰパケットを生成し、該複数のＩＰパケットを、パケットごとに、複数の方路に振り分け、振り分けられたＩＰパケットの各々を、ＡＴＭ（非同期転送モード）セルに分割し、さらに、下りＡＤＳＬ回線信号の各々に変換し、該下りＡＤＳＬ回線信号の各々を、複数のＡＤＳＬ回線の各々に送出する手段を有し、
前記多重分離装置は、さらに、
前記デジタル加入者線アクセス装置から、複数のＡＤＳＬ回線の各々を介して運ばれる下りＡＤＳＬ回線信号の各々を受け、該下りＡＤＳＬ回線信号の各々からＩＰパケットを取り出し、取り出された複数のＩＰパケットを多重し、多重されたＩＰパケットを端末回線信号に変換し、この端末回線信号を前記加入者端末装置に送る手段を有し、
前記加入者端末装置は、さらに、前記多重分離装置からの端末回線信号を受け、この端末回線信号からＩＰパケットを取り出し受信する手段を有することを特徴とする非対称デジタル加入者回線アクセスシステム。
【請求項６】
請求項２と５のうちのいずれか一項記載の非対称デジタル加入者回線アクセスシステムにおいて、前記端末回線信号は、ＩＥＥＥ８０２．３規定のＥＴＨＥＲ回線インタフェースのための信号であることを特徴とする非対称デジタル加入者回線アクセスシステム。
【請求項７】
請求項２に記載の非対称デジタル加入者回線アクセスシステムにおいて、前記端末回線信号は、ＩＴＵ−ＴＧ．９９３．１規定のＶＤＳＬ（Ｖｅｒｙ  Ｈｉｇｈ  Ｂｉｔ  Ｒａｔｅ  Ｄｉｇｉｔａｌ  Ｓｕｂｓｃｒｉｂｅｒ  Ｌｉｎｅ；高速デジタル加入者回線）インタフェースのための信号であることを特徴とする非対称デジタル加入者回線アクセスシステム。
【請求項８】
加入者構内に備えられる複数の加入者端末装置と、局に備えられるデジタル加入者線アクセス装置と、前記加入者端末装置と前記デジタル加入者線アクセス装置とを接続し、前記デジタル加入者線アクセス装置から前記加入者端末装置へ流れる下りＡＤＳＬ回線信号と前記加入者端末装置から前記デジタル加入者線アクセス装置へ流れる上りＡＤＳＬ回線信号とを運ぶ複数の非対称デジタル加入者回線（ＡＤＳＬ回線）とを有する非対称デジタル加入者回線アクセスシステムのアクセス方法であって、
前記デジタル加入者線アクセス装置から複数のＡＤＳＬ回線の各々を介して流れる下りＡＤＳＬ回線信号を多重する多重ステップと、前記加入者端末装置からの信号を複数の上りＡＤＳＬ回線信号に振り分け、振り分けられた上りＡＤＳＬ回線信号の各々を複数の非対称デジタル加入者回線の各々に送出する分離ステップとを有することを特徴とするアクセス方法。
【請求項９】
加入者構内に備えられる複数の加入者端末装置と、局に備えられるデジタル加入者線アクセス装置と、加入者と局を接続する複数の非対称デジタル加入者回線（ＡＤＳＬ回線）と、加入者構内に備えられ、複数のＡＤＳＬ回線を多重分離する多重分離装置とを有する非対称デジタル加入者回線アクセスシステムのアクセス方法であって、
前記加入者端末装置において、通信のための複数のパケットを生成し、これらのパケットを端末回線信号に変換して前記多重分離装置に送るステップを有し、
前記多重分離装置において、前記加入者端末装置から端末回線信号を受け、この端末回線信号から複数のパケットを取り出し、取り出された複数のパケットを、パケットごとに、複数の方路に振り分け、振り分けられたパケットの各々を上りＡＤＳＬ回線信号の各々に変換し、該上りＡＤＳＬ回線信号の各々を、複数のＡＤＳＬ回線の各々に送出するステップを有し、
前記デジタル加入者線アクセス装置において、前記多重分離装置から、複数のＡＤＳＬ回線の各々を介して運ばれる上りＡＤＳＬ回線信号の各々を受け、該上りＡＤＳＬ回線信号の各々からパケットを取り出し、これらのパケットを多重するステップと、前記加入者端末装置宛に送る複数のパケットを生成し、該複数のパケットを、パケットごとに、複数の方路に振り分け、振り分けられたパケットの各々を下りＡＤＳＬ回線信号の各々に変換し、該下りＡＤＳＬ回線信号の各々を、複数のＡＤＳＬ回線の各々に送出するステップを有し、
前記多重分離装置において、さらに、
前記デジタル加入者線アクセス装置から、複数のＡＤＳＬ回線の各々を介して運ばれる下りＡＤＳＬ回線信号の各々を受け、該下りＡＤＳＬ回線信号の各々からパケットを取り出し、取り出された複数のパケットを多重し、多重されたパケットを端末回線信号に変換し、この端末回線信号を前記加入者端末装置に送るステップを有し、
前記加入者端末装置において、さらに、前記多重分離装置からの端末回線信号を受け、この端末回線信号からパケットを取り出し受信するステップを有することを特徴とするアクセス方法。
【請求項１０】
加入者構内に備えられる複数の加入者端末装置と、局に備えられるデジタル加入者線アクセス装置と、加入者と局を接続する複数の非対称デジタル加入者回線（ＡＤＳＬ回線）と、加入者構内に備えられ、複数のＡＤＳＬ回線を多重分離する多重分離装置とを有する非対称デジタル加入者回線アクセスシステムを制御するアクセスプログラムであって、
前記加入者端末装置において、通信のための複数のパケットを生成し、これらのパケットを端末回線信号に変換して前記多重分離装置に送る処理と、
前記多重分離装置において、前記加入者端末装置から端末回線信号を受け、この端末回線信号から複数のパケットを取り出し、取り出された複数のパケットを、パケットごとに、複数の方路に振り分け、振り分けられたパケットの各々を上りＡＤＳＬ回線信号の各々に変換し、該上りＡＤＳＬ回線信号の各々を、複数のＡＤＳＬ回線の各々に送出する処理と、
前記デジタル加入者線アクセス装置において、前記多重分離装置から、複数のＡＤＳＬ回線の各々を介して運ばれる上りＡＤＳＬ回線信号の各々を受け、該上りＡＤＳＬ回線信号の各々からパケットを取り出し、これらのパケットを多重する処理と、前記加入者端末装置宛に送る複数のパケットを生成し、該複数のパケットを、パケットごとに、複数の方路に振り分け、振り分けられたパケットの各々を下りＡＤＳＬ回線信号の各々に変換し、該下りＡＤＳＬ回線信号の各々を、複数のＡＤＳＬ回線の各々に送出する処理と、
前記多重分離装置において、さらに、前記デジタル加入者線アクセス装置から、複数のＡＤＳＬ回線の各々を介して運ばれる下りＡＤＳＬ回線信号の各々を受け、該下りＡＤＳＬ回線信号の各々からパケットを取り出し、取り出された複数のパケットを多重し、多重されたパケットを端末回線信号に変換し、この端末回線信号を前記加入者端末装置に送る処理と、
前記加入者端末装置において、さらに、前記多重分離装置からの端末回線信号を受け、この端末回線信号からパケットを取り出し受信する処理を、
コンピュータに実行させることを特徴とするアクセスプログラム。
【発明の詳細な説明】
【技術分野】
【０００１】
本発明は、ＡＤＳＬ回線（非対称デジタル加入者回線）によりインターネットへアクセスする加入者アクセスシステムに関し、特に、複数のＡＤＳＬ回線を利用して高速にアクセスができる加入者アクセスシステムに関する。
【背景技術】
【０００２】
従来の加入者アクセスシステムは、加入者端末装置が、１本のＡＤＳＬ回線（非対称デジタル加入者回線）により、局に備えられる加入者線アクセス装置（ＤＳＬＡＭ）にアクセスするよう構成されている。近年の、高トラヒックなインタネットサービスを提供するためには、１本のＡＤＳＬ回線の帯域のみでは、充分でない。このため、ＡＤＳＬ回線を高速化する技術がある（例えば、特許文献１）。
【０００３】
【特許文献１】特開２０００−１３８７３３号公報
【発明の開示】
【発明が解決しようとする課題】
【０００４】
特開２０００−１３８７３３号公報においては、ＡＤＳＬ回線の１回線中に複数のサブキャリアを多重して高速回線とするものである。したがって、ＡＤＳＬ回線の１回線でのサブキャリアの多重度は、ＡＤＳＬ回線の１回線の帯域により制限される。近年の、高トラヒックなインタネットサービスを提供するためには、アクセス回線の帯域を、更に増大する必要があるという課題を有する。
【０００５】
本発明の目的は、従来のこの様な課題を解決し、加入者線アクセス回線の高速、広帯域化できる技術を提供することにある。
【課題を解決するための手段】
【０００６】
本発明の非対称デジタル加入者回線アクセスシステムは、加入者構内に備えられる複数の加入者端末装置と、局に備えられるデジタル加入者線アクセス装置と、前記加入者端末装置と前記デジタル加入者線アクセス装置とを接続し、前記デジタル加入者線アクセス装置から前記加入者端末装置へ流れる下りＡＤＳＬ回線信号と前記加入者端末装置から前記デジタル加入者線アクセス装置へ流れる上りＡＤＳＬ回線信号とを運ぶ複数の非対称デジタル加入者回線（ＡＤＳＬ回線）とを有する非対称デジタル加入者回線アクセスシステムであって、
前記デジタル加入者線アクセス装置から複数のＡＤＳＬ回線の各々を介して流れる下りＡＤＳＬ回線信号を多重する多重手段と、前記加入者端末装置からの信号を複数の上りＡＤＳＬ回線信号に振り分け、振り分けられた上りＡＤＳＬ回線信号の各々を複数のＡＤＳＬ回線の各々に送出する分離手段とを有する多重分離装置を、加入者構内に備えることを特徴とする。
【０００７】
また、本発明の非対称デジタル加入者回線アクセスシステムは、前記加入者端末装置が、通信のための複数のパケットを生成し、これらのパケットを端末回線信号に変換して前記多重分離装置に送る手段を有し、前記多重分離装置は、前記加入者端末装置から端末回線信号を受け、この端末回線信号から複数のパケットを取り出し、取り出された複数のパケットを、パケットごとに、複数の方路に振り分け、振り分けられたパケットの各々を上りＡＤＳＬ回線信号の各々に変換し、該上りＡＤＳＬ回線信号の各々を、複数のＡＤＳＬ回線の各々に送出する手段を有し、前記デジタル加入者線アクセス装置は、前記多重分離装置から、複数のＡＤＳＬ回線の各々を介して運ばれる上りＡＤＳＬ回線信号の各々を受け、該上りＡＤＳＬ回線信号の各々からパケットを取り出し、これらのパケットを多重する手段と、前記加入者端末装置宛に送る複数のパケットを生成し、該複数のパケットを、パケットごとに、複数の方路に振り分け、振り分けられたパケットの各々を下りＡＤＳＬ回線信号の各々に変換し、該下りＡＤＳＬ回線信号の各々を、複数のＡＤＳＬ回線の各々に送出する手段を有し、前記多重分離装置は、さらに、前記デジタル加入者線アクセス装置から、複数のＡＤＳＬ回線の各々を介して運ばれる下りＡＤＳＬ回線信号の各々を受け、該下りＡＤＳＬ回線信号の各々からパケットを取り出し、取り出された複数のパケットを多重し、多重されたパケットを端末回線信号に変換し、この端末回線信号を前記加入者端末装置に送る手段を有し、前記加入者端末装置は、さらに、前記多重分離装置からの端末回線信号を受け、この端末回線信号からパケットを取り出し受信する手段を有することを特徴とする。
【０００８】
さらに、本発明の非対称デジタル加入者回線アクセスシステムは、前記パケットが、ＩＰ（インタネットプロトコル）パケットであることを特徴とする。
【０００９】
また、本発明の非対称デジタル加入者回線アクセスシステムは、前記パケットが、ＡＴＭ（非同期転送モード）セルであることを特徴とする。
【００１０】
さらに、本発明の非対称デジタル加入者回線アクセスシステムは、前記加入者端末装置が、ＩＰ（インタネットプロトコル）通信のための複数のＩＰパケットを生成し、これらのＩＰパケットを端末回線信号に変換して前記多重分離装置に送る手段を有し、前記多重分離装置は、前記加入者端末装置から端末回線信号を受け、この端末回線信号から複数のＩＰパケットを取り出し、取り出された複数のＩＰパケットを、パケットごとに、複数の方路に振り分け、振り分けられたＩＰパケットの各々を、ＡＴＭ（非同期転送モード）セルに分割し、さらに、上りＡＤＳＬ回線信号の各々に変換し、該上りＡＤＳＬ回線信号の各々を、複数のＡＤＳＬ回線の各々に送出する手段を有し、前記デジタル加入者線アクセス装置は、前記多重分離装置から、複数のＡＤＳＬ回線の各々を介して運ばれる上りＡＤＳＬ回線信号の各々を受け、該上りＡＤＳＬ回線信号の各々からＩＰパケットを取り出し、これらのＩＰパケットを多重する手段と、前記加入者端末装置宛に送る複数のＩＰパケットを生成し、該複数のＩＰパケットを、パケットごとに、複数の方路に振り分け、振り分けられたＩＰパケットの各々を、ＡＴＭ（非同期転送モード）セルに分割し、さらに、下りＡＤＳＬ回線信号の各々に変換し、該下りＡＤＳＬ回線信号の各々を、複数のＡＤＳＬ回線の各々に送出する手段を有し、前記多重分離装置は、さらに、前記デジタル加入者線アクセス装置から、複数のＡＤＳＬ回線の各々を介して運ばれる下りＡＤＳＬ回線信号の各々を受け、該下りＡＤＳＬ回線信号の各々からＩＰパケットを取り出し、取り出された複数のＩＰパケットを多重し、多重されたＩＰパケットを端末回線信号に変換し、この端末回線信号を前記加入者端末装置に送る手段を有し、前記加入者端末装置は、さらに、前記多重分離装置からの端末回線信号を受け、この端末回線信号からＩＰパケットを取り出し受信する手段を有することを特徴とする。
【００１１】
またさらに、本発明の非対称デジタル加入者回線アクセスシステムは、前記端末回線信号が、ＩＥＥＥ８０２．３規定のＥＴＨＥＲ回線インタフェースのための信号であることを特徴とする。
【００１２】
また、本発明の非対称デジタル加入者回線アクセスシステムは、前記端末回線信号が、ＩＴＵ−ＴＧ．９９３．１規定のＶＤＳＬ（Ｖｅｒｙ  Ｈｉｇｈ  Ｂｉｔ  Ｒａｔｅ  Ｄｉｇｉｔａｌ  Ｓｕｂｓｃｒｉｂｅｒ  Ｌｉｎｅ；高速デジタル加入者回線）インタフェースのための信号であることを特徴とする。
【００１３】
さらに、本発明のアクセス方法は、加入者構内に備えられる複数の加入者端末装置と、局に備えられるデジタル加入者線アクセス装置と、前記加入者端末装置と前記デジタル加入者線アクセス装置とを接続し、前記デジタル加入者線アクセス装置から前記加入者端末装置へ流れる下りＡＤＳＬ回線信号と前記加入者端末装置から前記デジタル加入者線アクセス装置へ流れる上りＡＤＳＬ回線信号とを運ぶ複数の非対称デジタル加入者回線（ＡＤＳＬ回線）とを有する非対称デジタル加入者回線アクセスシステムのアクセス方法であって、前記デジタル加入者線アクセス装置から複数のＡＤＳＬ回線の各々を介して流れる下りＡＤＳＬ回線信号を多重する多重ステップと、前記加入者端末装置からの信号を複数の上りＡＤＳＬ回線信号に振り分け、振り分けられた上りＡＤＳＬ回線信号の各々を複数の非対称デジタル加入者回線の各々に送出する分離ステップとを有することを特徴とする。
【００１４】
また、本発明のアクセス方法は、加入者構内に備えられる複数の加入者端末装置と、局に備えられるデジタル加入者線アクセス装置と、加入者と局を接続する複数の非対称デジタル加入者回線（ＡＤＳＬ回線）と、加入者構内に備えられ、複数のＡＤＳＬ回線を多重分離する多重分離装置とを有する非対称デジタル加入者回線アクセスシステムのアクセス方法であって、前記加入者端末装置において、通信のための複数のパケットを生成し、これらのパケットを端末回線信号に変換して前記多重分離装置に送るステップを有し、前記多重分離装置において、前記加入者端末装置から端末回線信号を受け、この端末回線信号から複数のパケットを取り出し、取り出された複数のパケットを、パケットごとに、複数の方路に振り分け、振り分けられたパケットの各々を上りＡＤＳＬ回線信号の各々に変換し、該上りＡＤＳＬ回線信号の各々を、複数のＡＤＳＬ回線の各々に送出するステップを有し、前記デジタル加入者線アクセス装置において、前記多重分離装置から、複数のＡＤＳＬ回線の各々を介して運ばれる上りＡＤＳＬ回線信号の各々を受け、該上りＡＤＳＬ回線信号の各々からパケットを取り出し、これらのパケットを多重するステップと、前記加入者端末装置宛に送る複数のパケットを生成し、該複数のパケットを、パケットごとに、複数の方路に振り分け、振り分けられたパケットの各々を下りＡＤＳＬ回線信号の各々に変換し、該下りＡＤＳＬ回線信号の各々を、複数のＡＤＳＬ回線の各々に送出するステップを有し、前記多重分離装置において、さらに、前記デジタル加入者線アクセス装置から、複数のＡＤＳＬ回線の各々を介して運ばれる下りＡＤＳＬ回線信号の各々を受け、該下りＡＤＳＬ回線信号の各々からパケットを取り出し、取り出された複数のパケットを多重し、多重されたパケットを端末回線信号に変換し、この端末回線信号を前記加入者端末装置に送るステップを有し、前記加入者端末装置において、さらに、前記多重分離装置からの端末回線信号を受け、この端末回線信号からパケットを取り出し受信するステップを有することを特徴とする。
【００１５】
さらに、本発明のアクセスプログラムは、加入者構内に備えられる複数の加入者端末装置と、局に備えられるデジタル加入者線アクセス装置と、加入者と局を接続する複数の非対称デジタル加入者回線（ＡＤＳＬ回線）と、加入者構内に備えられ、複数のＡＤＳＬ回線を多重分離する多重分離装置とを有する非対称デジタル加入者回線アクセスシステムを制御するアクセスプログラムであって、前記加入者端末装置において、通信のための複数のパケットを生成し、これらのパケットを端末回線信号に変換して前記多重分離装置に送る処理と、前記多重分離装置において、前記加入者端末装置から端末回線信号を受け、この端末回線信号から複数のパケットを取り出し、取り出された複数のパケットを、パケットごとに、複数の方路に振り分け、振り分けられたパケットの各々を上りＡＤＳＬ回線信号の各々に変換し、該上りＡＤＳＬ回線信号の各々を、複数のＡＤＳＬ回線の各々に送出する処理と、前記デジタル加入者線アクセス装置において、前記多重分離装置から、複数のＡＤＳＬ回線の各々を介して運ばれる上りＡＤＳＬ回線信号の各々を受け、該上りＡＤＳＬ回線信号の各々からパケットを取り出し、これらのパケットを多重する処理と、前記加入者端末装置宛に送る複数のパケットを生成し、該複数のパケットを、パケットごとに、複数の方路に振り分け、振り分けられたパケットの各々を下りＡＤＳＬ回線信号の各々に変換し、該下りＡＤＳＬ回線信号の各々を、複数のＡＤＳＬ回線の各々に送出する処理と、前記多重分離装置において、さらに、前記デジタル加入者線アクセス装置から、複数のＡＤＳＬ回線の各々を介して運ばれる下りＡＤＳＬ回線信号の各々を受け、該下りＡＤＳＬ回線信号の各々からパケットを取り出し、取り出された複数のパケットを多重し、多重されたパケットを端末回線信号に変換し、この端末回線信号を前記加入者端末装置に送る処理と、前記加入者端末装置において、さらに、前記多重分離装置からの端末回線信号を受け、この端末回線信号からパケットを取り出し受信する処理を、コンピュータに実行させることを特徴とする。
【発明の効果】
【００１６】
本発明の効果として、端末装置とデジタル加入者線アクセス装置（ＤＳＬＡＭ）間が、複数のＡＤＳＬ回線が多重されて構成された多重ＡＤＳＬ回線により構成され、端末装置とデジタル加入者線アクセス装置（ＤＳＬＡＭ）間の回線帯域が増大し、端末装置から高速にインターネットにアクセスできるという効果がある。
【発明を実施するための最良の形態】
【００１７】
本発明の実施の形態について図面を参照して詳細に説明する。
【００１８】
図１は、本発明の第１の実施形態によるアクセスシステムの構成ブロック図である。
【００１９】
図１を参照して、本発明の第１の実施形態によるアクセスシステムは、１台の端末装置８０からデジタル加入者線アクセス装置（以降、ＤＳＬＡＭ）２０へのアクセスが、複数のＡＤＳＬ回線が多重されて構成される多重ＡＤＳＬ回線により行われるよう構成されている。
【００２０】
本発明の第１の実施形態によるアクセスシステムは、音声帯域の電話回線信号を交換する電話交換機１０と、ＡＤＳＬ（非対称デジタル加入者回線）回線信号を送受信するデジタル加入者線アクセス装置（以降、ＤＳＬＡＭ）２０と、複数の局舎側帯域分離装置（以降、局舎側ＰＯＴＳ）３０−１、３０−２、３０−３と、電話交換機１０と複数の局舎側ＰＯＴＳ３０−１、３０−２、３０−３とを接続し電話回線信号を運ぶ局舎側電話回線２０１と、ＤＳＬＡＭ２０と複数の局舎側ＰＯＴＳ３０−１、３０−２、３０−３とを接続しＡＤＳＬ回線信号を運ぶ局舎側モデム回線２０２とを局舎内に備え、複数の端末側帯域分離装置（以降、端末側ＰＯＴＳ）４０−１、４０−２、４０−３と、多重分離装置５０と、複数の端末装置８０−１、８０−２、８０−３と、複数の電話機９０−１、９０−２、９０−３と、複数の端末側ＰＯＴＳ４０−１、４０−２、４０−３の各々と複数の電話機９０−１、９０−２、９０−３の各々を接続し電話回線信号を運ぶ端末側電話回線２０４と、複数の端末側ＰＯＴＳ４０−１、４０−２、４０−３の各々と多重分離装置５０を接続しＡＤＳＬ回線信号を運ぶ端末側モデム回線２０５と、多重分離装置５０と複数の端末装置８０−１、８０−２、８０−３を接続しイーサ（ＥＴＨＥＲ（登録商標））回線信号を運ぶＥＴＨＥＲ（登録商標）回線２０６とを加入者構内に備え、局舎内に備えられる複数の局舎側ＰＯＴＳ３０−１、３０−２、３０−３の各々と加入者構内に備えられる複数の端末側ＰＯＴＳ４０−１、４０−２、４０−３の各々とを接続する複数のＡＤＳＬ回線２０３−１、２０３−２、２０３−３の各々を有して構成される。
【００２１】
複数の端末装置８０−１、８０−２、８０−３の各々と、複数の電話機９０−１、９０−２、９０−３の各々とは、加入者構内の各部屋に備えられている。
【００２２】
複数のＡＤＳＬ回線２０３−１、２０３−２、２０３−３の各々は、図６のＡＤＳＬ回線の電力スペクトラムに示されるように、周波数帯域０〜４ｋＨｚを持つ電話回線信号と、ＩＴＵ−ＴＧ．９９２．１Ｇ．ｄｍｔ規定によるＡＤＳＬ回線信号とからなる回線信号を運ぶ回線である。
【００２３】
ＡＤＳＬ回線信号は、図７で示されるように、物理層であるレイヤ１のＡＤＳＬインタフェースのための回線信号で、図６に示されるように、周波数帯域２５ｋ〜１３８ｋＨｚで、最大３２個のサブキャリアを有する上りＡＤＳＬ回線（端末装置８０からＤＳＬＡＭ２０方向）信号と、周波数帯域１３８ｋ〜１１０４ｋＨｚで、最大２５６個のサブキャリアを持つ下りＡＤＳＬ回線（ＤＳＬＡＭ２０から端末装置８０方向）信号とから構成される。
【００２４】
局舎側ＰＯＴＳ３０は、端末側ＰＯＴＳ４０からＡＤＳＬ回線２０３を介して送信される回線信号を受信し、この回線信号から電話回線信号と上りＡＤＳＬ回線信号とに分離し、分離された電話回線信号を、局舎側電話回線２０１を介して電話交換機１０に送るとともに、分離された上りＡＤＳＬ回線信号を、局舎側モデム回線２０２を介してＤＳＬＡＭ２０に送る機能を有する。また、局舎側ＰＯＴＳ３０は、電話交換機１０から局舎側電話回線２０１を介して電話回線信号を受け、そして、ＤＳＬＡＭ２０から局舎側モデム回線２０２を介して下りＡＤＳＬ回線信号を受け、これらの電話回線信号と下りＡＤＳＬ回線信号とを合成して回線信号を生成し、この回線信号を、ＡＤＳＬ回線２０３を介して端末側ＰＯＴＳ４０に送信する機能を有する。
【００２５】
端末側ＰＯＴＳ４０は、局舎側ＰＯＴＳ３０からＡＤＳＬ回線２０３を介して送信される回線信号を受信し、この回線信号から電話回線信号と下りＡＤＳＬ回線信号とに分離し、分離された電話回線信号を、端末側電話回線２０４を介して、電話機９０に送るとともに、分離された下りＡＤＳＬ回線信号を、端末側モデム回線２０５を介して、多重分離装置５０に送る機能を有する。また、端末側ＰＯＴＳ４０は、電話機９０から端末側電話回線２０４を介して電話回線信号を受け、そして、多重分離装置５０から端末側モデム回線２０５を介して上りＡＤＳＬ回線信号を受け、これらの電話回線信号と上りＡＤＳＬ回線信号とを合成し回線信号を生成し、この回線信号を、ＡＤＳＬ回線２０３を介して局舎側ＰＯＴＳ３０に送信する機能を有する。
【００２６】
端末装置８０は、図７で示されるようなネットワーク層であるレイヤ３のＩＰ（インタネットプロトコル）通信のための、複数の、可変長パケットであるＩＰパケットを発生し、この複数のＩＰパケットをＥＴＨＥＲ（登録商標）回線２０６を介して、多重分離装置５０に送る機能と、多重分離装置５０からＥＴＨＥＲ（登録商標）回線２０６を介してＩＰパケットを受信する機能とを有する。
【００２７】
ＤＳＬＡＭ２０は、パケット生成部２１と、パケット受信部２２と、パケット多重分離部２３と、複数のＡＤＳＬ回線インタフェース部２４−１、２４−２、２４−３と、制御プログラムを記憶するプログラム記憶部２５と、制御プログラムに基づいてＤＳＬＡＭ２０全体を制御する制御部２６とを有して構成される。
【００２８】
パケット生成部２１は、複数の端末装置８０のいずれかの端末装置宛に送信する複数の可変長パケット、すなわち、複数のＩＰパケットを生成する機能を有する。
【００２９】
パケット多重分離部２３は、パケット生成部２１からの複数ＩＰパケットを、パケットごとに、複数方路に振り分ける機能、すなわち、パケットごとに、複数のＡＤＳＬ回線インタフェース部２４−１、２４−２、２４−３の各々に振り分ける機能と、複数のＡＤＳＬ回線インタフェース部２４−１、２４−２、２４−３からのＩＰパケットを多重する機能を有する。
【００３０】
ＡＤＳＬ回線インタフェース部２４−１、２４−２、２４−３の各々は、パケット多重分離部２３により振り分けられたＩＰパケットの各々を、図７で示されるＡＤＳＬ階層におけるデータリンク層の通信のため、図８で示されるＡＴＭ（非同期転送モード）セルに変換し、さらに、このＡＴＭセルを下りＡＤＳＬ回線信号の各々に変換し、該下りＡＤＳＬ回線信号の各々を、複数の局舎側ＰＯＴＳ３０−１、３０−２、３０−３の各々に送る機能と、複数の局舎側ＰＯＴＳ３０−１、３０−２、３０−３の各々からの複数上りＡＤＳＬ回線信号の各々をＩＰパケットの各々に変換し、このＩＰパケットの各々をパケット多重分離部２３に送る機能とを有する。
【００３１】
パケット受信部２２は、パケット多重分離部２３により多重されたＩＰパケットを受信する機能を有する。
【００３２】
多重分離装置５０は、多重分離部５１と、複数のＡＤＳＬ回線インタフェース部６０−１、６０−２、６０−３と、複数のＥＴＨＥＲ（登録商標）回線インタフェース７０−１、７０−２、７０−３と，制御プログラムを記憶するプログラム記憶部５２と、制御プログラムに基づいて多重分離装置５０全体を制御する制御部５３とを有して構成される。
【００３３】
複数のＡＤＳＬ回線インタフェース部６０−１、６０−２、６０−３の各々は、複数の端末側ＰＯＴＳ４０の各々からの複数の下りＡＤＳＬ回線信号の各々をＩＰパケットの各々に変換し、このＩＰパケットの各々を多重分離部５１に送る機能と、多重分離部５１により方路ごとに振り分けられたＩＰパケットの各々を、ＡＴＭセルに変換し、さらに、上りＡＤＳＬ回線信号の各々に変換し、該上りＡＤＳＬ回線信号の各々を、複数の端末側ＰＯＴＳ４０−１、４０−２、４０−３の各々に送る機能と有する。
【００３４】
ＥＴＨＥＲ（登録商標）回線インタフェース７０のいずれかは、当該端末装置８０からＥＴＨＥＲ（登録商標）回線信号を受け、この回線信号からＩＰパケットを抽出し、このＩＰパケットを多重分離部５１に送る機能と、多重分離部５１からのＩＰパケットをＥＴＨＥＲ（登録商標）回線信号に変換し、この回線信号を当該の端末装置８０に送る機能とを有する。
【００３５】
多重分離部５１は、複数のＡＤＳＬ回線インタフェース部６０−１、６０−２、６０−３の各々からのＩＰパケットを多重して当該ＥＴＨＥＲ（登録商標）回線インタフェース７０に送る機能と、当該ＥＴＨＥＲ（登録商標）回線インタフェース７０からの複数ＩＰパケットを、パケットごとに、複数方路に振り分ける機能、すなわち、パケットごとに、複数のＡＤＳＬ回線インタフェース部６０−１、６０−２、６０−３の各々に振り分ける機能とを有する。
次に、本発明の実施形態の動作について図面を参照して詳細に説明する。
【００３６】
図２は、下りＡＤＳＬ回線信号の流れを示す図で、図３は、上りＡＤＳＬ回線信号の流れを示す図で、図４は、回線の多重と分離を説明する図である。
【００３７】
図２と図３と図４とを主体に、図１を併せ参照して動作を説明する。
【００３８】
まず、ＤＳＬＡＭ２０から端末装置８０−１宛のＩＰパケットを複数の回線を利用して送る動作を説明する。
【００３９】
図２と図４を参照して、ＤＳＬＡＭ２０のパケット生成部２１は、端末装置８０−１宛の複数のＩＰパケットＰ（１）、Ｐ（２）、〜、Ｐ（ｎ）を生成し、これらのＩＰパケットＰ（１）、Ｐ（２）、〜、Ｐ（ｎ）をパケット多重分離部２３に送る。
【００４０】
パケット多重分離部２３は、パケット生成部２１からの複数のＩＰパケットＰ（１）、Ｐ（２）、〜、Ｐ（ｎ）を、パケットごとに、複数方路に振り分ける、すなわち、ＩＰパケットＰ（１）をＡＤＳＬ回線インタフェース部２４−１に、ＩＰパケットＰ（２）をＡＤＳＬ回線インタフェース部２４−２に、ＩＰパケットＰ（３）をＡＤＳＬ回線インタフェース部２４−３に、振り分ける。さらに、パケット多重分離部２３は、同様に、以降のＩＰパケットＰ（４）、〜、Ｐ（ｎ）を、パケットごとに、当該ＡＤＳＬ回線インタフェース部２４に順番に振り分ける。以降の説明では、ＩＰパケットＰ（１）、Ｐ（２）、Ｐ（３）のみに着目して説明する。
【００４１】
ＡＤＳＬ回線インタフェース部２４−１は、パケット多重分離部２３からのＩＰパケットＰ（１）をＡＴＭセルに変換し、さらに、下りＡＤＳＬ回線信号ＤＳ１に変換し、該下りＡＤＳＬ回線信号ＤＳ１を、局舎側ＰＯＴＳ３０−１に送る。同様に、ＡＤＳＬ回線インタフェース部２４−２は、パケット多重分離部２３からのＩＰパケットＰ（２）をＡＴＭセルに変換し、さらに、下りＡＤＳＬ回線信号ＤＳ２に変換し、該下りＡＤＳＬ回線信号ＤＳ２を、局舎側ＰＯＴＳ３０−２に送る。また、同様に、ＡＤＳＬ回線インタフェース部２４−３は、パケット多重分離部２３からのＩＰパケットＰ（３）をＡＴＭセルに変換し、さらに、下りＡＤＳＬ回線信号ＤＳ３に変換し、該下りＡＤＳＬ回線信号ＤＳ３を、局舎側ＰＯＴＳ３０−３に送る。
【００４２】
局舎側ＰＯＴＳ３０−１は、ＡＤＳＬ回線インタフェース部２４−１からの下りＡＤＳＬ回線信号ＤＳ１をＡＤＳＬ回線２０３−１に送出し、局舎側ＰＯＴＳ３０−２は、ＡＤＳＬ回線インタフェース部２４−２からの下りＡＤＳＬ回線信号ＤＳ２をＡＤＳＬ回線２０３−２に送出し、局舎側ＰＯＴＳ３０−３は、ＡＤＳＬ回線インタフェース部２４−３からの下りＡＤＳＬ回線信号ＤＳ３をＡＤＳＬ回線２０３−３に送出する。
【００４３】
端末側ＰＯＴＳ４０−１は、ＡＤＳＬ回線２０３−１から下りＡＤＳＬ回線信号ＤＳ１を受け、該下りＡＤＳＬ回線信号ＤＳ１を多重分離装置５０のＡＤＳＬ回線インタフェース部６０−１に送り、端末側ＰＯＴＳ４０−２は、ＡＤＳＬ回線２０３−２から下りＡＤＳＬ回線信号ＤＳ２を受け、該下りＡＤＳＬ回線信号ＤＳ２をＡＤＳＬ回線インタフェース部６０−２に送り、端末側ＰＯＴＳ４０−３は、ＡＤＳＬ回線２０３−３から下りＡＤＳＬ回線信号ＤＳ３を受け、該下りＡＤＳＬ回線信号ＤＳ３をＡＤＳＬ回線インタフェース部６０−３に送る。
【００４４】
ＡＤＳＬ回線インタフェース部６０−１は、端末側ＰＯＴＳ４０−１からの下りＡＤＳＬ回線信号ＤＳ１より、ＩＰパケットＰ（１）を取り出し、このＩＰパケットＰ（１）を多重分離部５１に送り、ＡＤＳＬ回線インタフェース部６０−２は、端末側ＰＯＴＳ４０−２からの下りＡＤＳＬ回線信号ＤＳ２より、ＩＰパケットＰ（２）を取り出し、このＩＰパケットＰ（２）を多重分離部５１に送り、ＡＤＳＬ回線インタフェース部６０−３は、端末側ＰＯＴＳ４０−３からの下りＡＤＳＬ回線信号ＤＳ３より、ＩＰパケットＰ（３）を取り出し、このＩＰパケットＰ（３）を多重分離部５１に送る。
【００４５】
多重分離部５１は、ＡＤＳＬ回線インタフェース部６０−１からのＩＰパケットＰ（１）とＡＤＳＬ回線インタフェース部６０−２からのＩＰパケットＰ（２）とＡＤＳＬ回線インタフェース部６０−３からのＩＰパケットＰ（３）とを多重し、多重されたＩＰパケットをＥＴＨＥＲ（登録商標）回線インタフェース７０−１に送る。
【００４６】
ＥＴＨＥＲ（登録商標）回線インタフェース７０−１は、多重分離部５１からの多重されたＩＰパケットをＥＴＨＥＲ（登録商標）回線信号に変換し、この回線信号を端末装置８０−１に送信する。
【００４７】
次に、端末装置８０−１からＤＳＬＡＭ２０に、ＩＰパケットを複数の回線を利用して送る動作を説明する。
【００４８】
図３と図４を参照して、端末装置８０−１は、複数のＩＰパケットＰ（１）、Ｐ（２）、〜、Ｐ（ｎ）を生成し、これらのＩＰパケットＰ（１）、Ｐ（２）、〜、Ｐ（ｎ）をＥＴＨＥＲ（登録商標）回線信号に変換し、この回線信号を多重分離装置５０のＥＴＨＥＲ（登録商標）回線インタフェース７０−１に送る。
【００４９】
ＥＴＨＥＲ（登録商標）回線インタフェース７０−１は、端末装置８０−１からのＥＴＨＥＲ（登録商標）回線信号より、複数のＩＰパケットＰ（１）、Ｐ（２）、〜、Ｐ（ｎ）を取り出し、これらのＩＰパケットＰ（１）、Ｐ（２）、〜、Ｐ（ｎ）を多重分離部５１に送る。
【００５０】
多重分離部５１は、ＥＴＨＥＲ（登録商標）回線インタフェース７０−１からの複数のＩＰパケットＰ（１）、Ｐ（２）、〜、Ｐ（ｎ）を、パケットごとに、複数方路に振り分ける、すなわち、ＩＰパケットＰ（１）をＡＤＳＬ回線インタフェース部６０−１に、ＩＰパケットＰ（２）をＡＤＳＬ回線インタフェース部６０−２に、ＩＰパケットＰ（３）をＡＤＳＬ回線インタフェース部６０−３に、振り分ける。さらに、多重分離部５１は、同様に、以降のＩＰパケットＰ（４）、〜、Ｐ（ｎ）を、パケットごとに、当該ＡＤＳＬ回線インタフェース部６０に順番に振り分ける。以降の説明では、ＩＰパケットＰ（１）、Ｐ（２）、Ｐ（３）のみに着目して説明する。
【００５１】
ＡＤＳＬ回線インタフェース部６０−１は、多重分離部５１からのＩＰパケットＰ（１）をＡＴＭセルに変換し、さらに、上りＡＤＳＬ回線信号ＵＳ１に変換し、該上りＡＤＳＬ回線信号ＵＳ１を端末側ＰＯＴＳ４０−１に送る。同様に、ＡＤＳＬ回線インタフェース部６０−２は、多重分離部５１からのＩＰパケットＰ（２）をＡＴＭセルに変換し、さらに、上りＡＤＳＬ回線信号ＵＳ２に変換し、該上りＡＤＳＬ回線信号ＵＳ２を、端末側ＰＯＴＳ４０−２に送る。また、同様に、ＡＤＳＬ回線インタフェース部６０−３は、多重分離部５１からのＩＰパケットＰ（３）をＡＴＭセルに変換し、さらに、上りＡＤＳＬ回線信号ＵＳ３に変換し、該上りＡＤＳＬ回線信号ＵＳ３を、端末側ＰＯＴＳ４０−３に送る。
【００５２】
端末側ＰＯＴＳ４０−１は、ＡＤＳＬ回線インタフェース部６０−１からの上りＡＤＳＬ回線信号ＵＳ１をＡＤＳＬ回線２０３−１に送出し、端末側ＰＯＴＳ４０−２は、ＡＤＳＬ回線インタフェース部６０−２からの上りＡＤＳＬ回線信号ＵＳ２をＡＤＳＬ回線２０３−２に送出し、端末側ＰＯＴＳ４０−３は、ＡＤＳＬ回線インタフェース部６０−３からの上りＡＤＳＬ回線信号ＵＳ３をＡＤＳＬ回線２０３−３に送出する。
【００５３】
局舎側ＰＯＴＳ３０−１は、ＡＤＳＬ回線２０３−１から上りＡＤＳＬ回線信号ＵＳ１を受け、該上りＡＤＳＬ回線信号ＵＳ１をＤＳＬＡＭ２０のＡＤＳＬ回線インタフェース部２４−１に送り、局舎側ＰＯＴＳ３０−２は、ＡＤＳＬ回線２０３−２から上りＡＤＳＬ回線信号ＵＳ２を受け、該上りＡＤＳＬ回線信号ＵＳ２をＡＤＳＬ回線インタフェース部２４−２に送り、局舎側ＰＯＴＳ３０−３は、ＡＤＳＬ回線２０３−３から上りＡＤＳＬ回線信号ＵＳ３を受け、該上りＡＤＳＬ回線信号ＵＳ３をＡＤＳＬ回線インタフェース部２４−３に送る。
【００５４】
ＡＤＳＬ回線インタフェース部２４−１は、局舎側ＰＯＴＳ３０−１からの上りＡＤＳＬ回線信号ＵＳ１より、ＩＰパケットＰ（１）を取り出し、このＩＰパケットＰ（１）をパケット多重分離部２３に送り、ＡＤＳＬ回線インタフェース部２４−２は局舎側ＰＯＴＳ３０−２からの上りＡＤＳＬ回線信号ＵＳ２より、ＩＰパケットＰ（２）を取り出し、このＩＰパケットＰ（２）をパケット多重分離部２３に送り、ＡＤＳＬ回線インタフェース部２４−３は、局舎側ＰＯＴＳ３０−３からの上りＡＤＳＬ回線信号ＵＳ３より、ＩＰパケットＰ（３）を取り出し、このＩＰパケットＰ（３）をパケット多重分離部２３に送る。
【００５５】
パケット多重分離部２３は、ＡＤＳＬ回線インタフェース部２４−１からのＩＰパケットＰ（１）とＡＤＳＬ回線インタフェース部２４−２からのＩＰパケットＰ（２）とＡＤＳＬ回線インタフェース部２４−３からのＩＰパケットＰ（３）とを多重し、多重されたＩＰパケットをパケット受信部２２に送る。
【００５６】
以上、説明したように、本発明は、端末装置８０からの複数のＩＰパケットを、ＩＰパケットごとに、複数方路の各々に振り分け、振り分けられたＩＰパケットの各々をＡＴＭセルに変換し、さらにＡＤＳＬ回線信号の各々に変換し、これらのＡＤＳＬ回線信号の各々を複数ＡＤＳＬ回線２０３の各々でＤＳＬＡＭ２０に運び、ＤＳＬＡＭ２０は、複数ＡＤＳＬ回線２０３の各々により運ばれるＡＤＳＬ回線信号の各々よりＩＰパケットの各々を取り出し、これらのＩＰパケットを多重するよう構成されているので、端末装置８０とＤＳＬＡＭ２０とが広帯域の回線で接続されているのと等価となり、端末装置８０から高速データによるアクセスを可能にする。
【００５７】
また、本発明は、端末装置８０からの複数のＩＰパケットを、ＩＰパケットごとに振り分けて複数ＡＤＳＬ回線２０３の各々で送り、ＤＳＬＡＭ２０は、これらのＩＰパケットを多重するよう構成されているので、複数ＡＤＳＬ回線２０３の各々間の遅延時間差による、各ＩＰパケットのＤＳＬＡＭ２０への到着時間の差が生じても、ＤＳＬＡＭ２０は、各ＩＰパケットが有するシーケンス番号により、端末装置８０からの信号を正しい順序で受信できる。
【００５８】
次に、本発明の第２の実施形態について説明する。
【００５９】
第２の実施形態は、端末装置８０とのインタフェースが、ＥＴＨＥＲ（登録商標）インタフェースに代わって、ＩＴＵ−ＴＧ．９９３．１規定のＶＤＳＬ（Ｖｅｒｙ  Ｈｉｇｈ  Ｂｉｔ  Ｒａｔｅ  Ｄｉｇｉｔａｉ  Ｓｕｂｓｃｒｉｂｅｒ  Ｌｉｎｅ；高速デジタル加入者回線）インタフェースを備えて構成されている。
【００６０】
図５は、本発明の第２の実施形態によるアクセスシステムの構成ブロック図である。
【００６１】
図５を参照して、本発明の第２の実施形態によるアクセスシステムは、電話交換機１０と、ＤＳＬＡＭ２０ａと、複数の局舎側ＰＯＴＳ３０−１、３０−２、３０−３と、電話交換機１０と複数の局舎側ＰＯＴＳ３０−１、３０−２、３０−３とを接続し電話回線信号を運ぶ局舎側電話回線２０１と、ＤＳＬＡＭ２０ａと複数の局舎側ＰＯＴＳ３０−１、３０−２、３０−３とを接続しＡＤＳＬ回線信号を運ぶ局舎側モデム回線２０２とを局舎内に備え、複数の端末側ＰＯＴＳ４０−１、４０−２、４０−３と、多重分離装置５０ａと、複数の第２宅内側ＰＯＴＳ１１０−１、１１０−２、１１０−３と、複数の第１宅内側ＰＯＴＳ１３０−１、１３０−２、１３０−３と、複数のＶＤＳＬ（Ｖｅｒｙ  Ｈｉｇｈ  Ｂｉｔ  Ｒａｔｅ  Ｄｉｇｉｔａｌ  Ｓｕｂｓｃｒｉｂｅｒ  Ｌｉｎｅ；高速デジタル加入者回線）モデム１２０−１、１２０−２、１２０−３と、複数の端末装置８０−１、８０−２、８０−３と、複数の電話機９０−１、９０−２、９０−３と、複数の端末側ＰＯＴＳ４０−１、４０−２、４０−３の各々と複数の第２宅内側ＰＯＴＳ１１０−１、１１０−２、１１０−３の各々を接続し電話回線信号を運ぶ端末側電話回線２０４と、複数の端末側ＰＯＴＳ４０−１、４０−２、４０−３の各々と多重分離装置５０ａを接続しＡＤＳＬ回線信号を運ぶ端末側モデム回線２０５と、多重分離装置５０ａと複数の第２宅内側ＰＯＴＳ１１０−１、１１０−２、１１０−３を接続しＶＤＳＬ回線信号を運ぶＶＤＳＬモデム回線２０８と、複数の第２宅内側ＰＯＴＳ１１０−１、１１０−２、１１０−３の各々と複数の第１宅内側ＰＯＴＳ１３０−１、１３０−２、１３０−３の各々とを接続しＶＤＳＬ回線信号を運ぶＶＤＳＬ回線２０７と、第１宅内側ＰＯＴＳ１３０と電話機９０とを接続し電話回線信号を運ぶ部屋側電話回線２０９と、第１宅内側ＰＯＴＳ１３０とＶＤＳＬモデム１２０とを接続しＶＤＳＬ回線信号を運ぶ部屋側ＶＤＳＬ回線２１０と、ＶＤＳＬモデム１２０と端末装置８０とを接続しＶＤＳＬ回線信号を運ぶ端末側ＶＤＳＬ回線２１１とを加入者構内に備え、局舎内に備えられる複数の局舎側ＰＯＴＳ３０−１、３０−２、３０−３の各々と加入者構内に備えられる複数の端末側ＰＯＴＳ４０−１、４０−２、４０−３の各々とを接続する複数のＡＤＳＬ回線２０３−１、２０３−２、２０３−３の各々を有して構成される。
【００６２】
複数の端末装置８０−１、８０−２、８０−３の各々と、複数の電話機９０−１、９０−２、９０−３の各々と、複数の第１宅内側ＰＯＴＳ１３０−１、１３０−２、１３０−３の各々と、複数のＶＤＳＬモデム１２０−１、１２０−２、１２０−３の各々は、加入者構内の各部屋に備えられている。
【００６３】
第２の実施形態を構成する各構成部が第１の実施形態を構成する各構成部と同じ機能のものは、同一符号が付与されている。よって、第１の実施形態を構成する構成部と異なる構成部のみを説明する。
【００６４】
ＤＳＬＡＭ２０ａは、パケット生成部２１ａと、パケット受信部２２ａと、パケット多重分離部２３ａと、複数のＡＤＳＬ回線インタフェース部２４ａ−１、２４ａ−２、２４ａ−３と、制御プログラムを記憶するプログラム記憶部２５ａと、制御プログラムに基づいてＤＳＬＡＭ２０ａ全体を制御する制御部２６ａを有して構成される。
【００６５】
パケット生成部２１ａは、複数の端末装置８０のいずれかの端末装置宛に送信する複数の固定長パケット、すなわち、複数のＡＴＭセルを生成する機能を有する。
【００６６】
パケット多重分離部２３ａは、パケット生成部２１ａからの複数ＡＴＭセルを、ＡＴＭセルごとに、複数方路に振り分ける機能、すなわち、ＡＴＭセルごとに、複数のＡＤＳＬ回線インタフェース部２４ａ−１、２４ａ−２、２４ａ−３の各々に振り分ける機能と、複数のＡＤＳＬ回線インタフェース部２４ａ−１、２４ａ−２、２４ａ−３からのＡＴＭセルを多重する機能を有する。
【００６７】
ＡＤＳＬ回線インタフェース部２４ａ−１、２４ａ−２、２４ａ−３の各々は、パケット多重分離部２３ａにより振り分けられたＡＴＭセルの各々を、下りＡＤＳＬ回線信号の各々に変換し、該下りＡＤＳＬ回線信号の各々を、複数の局舎側ＰＯＴＳ３０−１、３０−２、３０−３の各々に送る機能と、複数の局舎側ＰＯＴＳ３０−１、３０−２、３０−３の各々からの複数上りＡＤＳＬ回線信号の各々をＡＴＭセルの各々に変換し、このＡＴＭセルの各々をパケット多重分離部２３に送る機能とを有する。
【００６８】
パケット受信部２２ａは、パケット多重分離部２３により多重されたＡＴＭセルを受信する機能を有する。
【００６９】
多重分離装置５０ａは、多重分離部５１ａと、複数のＡＤＳＬ回線インタフェース部６０ａ−１、６０ａ−２、６０ａ−３と、複数のＶＤＳＬ回線インタフェース７１−１、７１−２、７１−３と、制御プログラムを記憶するプログラム記憶部５２ａと、制御プログラムに基づいて多重分離装置５０ａ全体を制御する制御部５３ａとを有して構成される。
【００７０】
複数のＡＤＳＬ回線インタフェース部６０ａ−１、６０ａ−２、６０ａ−３の各々は、複数の端末側ＰＯＴＳ４０の各々からの複数の下りＡＤＳＬ回線信号の各々をＡＴＭセルの各々に変換し、このＡＴＭセルの各々を多重分離部５１ａに送る機能と、多重分離部５１ａにより方路ごとに振り分けられたＡＴＭセルの各々を上りＡＤＳＬ回線信号の各々に変換し、該上りＡＤＳＬ回線信号の各々を、複数の端末側ＰＯＴＳ４０−１、４０−２、４０−３の各々に送る機能とを有する。
【００７１】
複数のＶＤＳＬ回線インタフェース７１−１、７１−２、７１−３の各々は、多重分離部５１ａからの多重されたＡＴＭセルを、ＩＴＵ−ＴＧ．９９３．１規定のＶＤＳＬ回線信号に変換し、この回線信号を当該第２宅内側ＰＯＴＳ１１０に送る機能と、第２宅内側ＰＯＴＳ１１０からのＶＤＳＬ回線信号より複数ＡＴＭセルを取り出し、この複数ＡＴＭセルを多重分離部５１ａに送る機能とを有する。
【００７２】
多重分離部５１ａは、複数のＡＤＳＬ回線インタフェース部６０ａ−１、６０ａ−２、６０ａ−３の各々からのＡＴＭセルを多重して当該ＶＤＳＬ回線インタフェース７１に送る機能と、当該ＶＤＳＬ回線インタフェース７１からの複数ＡＴＭセルを、ＡＴＭセルごとに、複数方路に振り分ける機能、すなわち、ＡＴＭセルごとに、複数のＡＤＳＬ回線インタフェース部６０ａ−１、６０ａ−２、６０ａ−３の各々に振り分ける機能とを有する。
【００７３】
第２宅内側ＰＯＴＳ１１０は、ＶＤＳＬ回線インタフェース７１からのＶＤＳＬ回線信号と端末側ＰＯＴＳ４０からの電話回線信号とを合成して合成信号を得、この合成信号を第１宅内側ＰＯＴＳ１３０に送る機能と、第１宅内側ＰＯＴＳ１３０からの、ＶＤＳＬ回線信号と電話回線信号とが合成された合成信号を受けて、この合成信号から電話回線信号とＶＤＳＬ回線信号とに分離し、分離された電話回線信号を端末側ＰＯＴＳ４０に送るとともに、分離されたＶＤＳＬ回線信号を多重分離装置５０ａに送る機能を有する。
【００７４】
第１宅内側ＰＯＴＳ１３０は、ＶＤＳＬモデム１２０からのＶＤＳＬ回線信号と電話機９０からの電話回線信号とを合成して合成信号を得て、この合成信号を端末側ＰＯＴＳ４０からの電話回線信号とを合成して、合成された合成信号を第２宅内側ＰＯＴＳ１１０に送る機能と、第２宅内側ＰＯＴＳ１１０からの、ＶＤＳＬ回線信号と電話回線信号とが合成された合成信号を受けて、この合成信号から電話回線信号とＶＤＳＬ回線信号とに分離し、分離された電話回線信号を電話機９０に送るとともに、分離されたＶＤＳＬ回線信号をＶＤＳＬモデム１２０に送る機能を有する。
【００７５】
ＶＤＳＬモデム１２０は、端末装置８０からのＡＴＭセルを、ＩＴＵ−ＴＧ．９９３．１規定のＶＤＳＬ回線信号に変換し、このＶＤＳＬ回線信号を第１宅内側ＰＯＴＳ１３０に送る機能と、第１宅内側ＰＯＴＳ１３０からＶＤＳＬ回線信号を受け、このＶＤＳＬ回線信号からＡＴＭセルを取り出し、このＡＴＭセルを端末インタフェース信号に変換して端末装置８０に送る機能を有する。
【００７６】
動作を説明する。
【００７７】
まず、ＤＳＬＡＭ２０ａから端末装置８０−１宛の複数のＡＴＭセルを複数のＡＤＳＬ回線を利用して送る動作を説明する。
【００７８】
図５と図４を参照して、ＤＳＬＡＭ２０ａのパケット生成部２１ａは、端末装置８０−１宛の複数のＡＴＭセルＰ（１）、Ｐ（２）、〜、Ｐ（ｎ）を生成し、これらのＡＴＭセルＰ（１）、Ｐ（２）、〜、Ｐ（ｎ）をパケット多重分離部２３ａに送る。
【００７９】
パケット多重分離部２３ａは、パケット生成部２１からの複数のＡＴＭセルＰ（１）、Ｐ（２）、〜、Ｐ（ｎ）を、ＡＴＭセルごとに、複数方路に振り分ける、すなわち、ＡＴＭセルＰ（１）をＡＤＳＬ回線インタフェース部２４ａ−１に、ＡＴＭセルＰ（２）をＡＤＳＬ回線インタフェース部２４ａ−２に、ＡＴＭセルＰ（３）をＡＤＳＬ回線インタフェース部２４ａ−３に、振り分ける。さらに、パケット多重分離部２３ａは、同様に、以降のＡＴＭセルＰ（４）、〜、Ｐ（ｎ）を、パケットごとに、当該ＡＤＳＬ回線インタフェース部２４ａに順番に振り分ける。以降の説明では、ＡＴＭセルＰ（１）、Ｐ（２）、Ｐ（３）のみに着目して説明する。
【００８０】
ＡＤＳＬ回線インタフェース部２４ａ−１は、パケット多重分離部２３ａからのＡＴＭセルＰ（１）を下りＡＤＳＬ回線信号ＤＳ１に変換し、該下りＡＤＳＬ回線信号ＤＳ１を、局舎側ＰＯＴＳ３０−１に送る。同様に、ＡＤＳＬ回線インタフェース部２４ａ−２は、パケット多重分離部２３からのＡＴＭセルＰ（２）を下りＡＤＳＬ回線信号ＤＳ２に変換し、該下りＡＤＳＬ回線信号ＤＳ２を、局舎側ＰＯＴＳ３０−２に送る。また、同様に、ＡＤＳＬ回線インタフェース部２４ａ−３は、パケット多重分離部２３からのＡＴＭセルＰ（３）を下りＡＤＳＬ回線信号ＤＳ３に変換し、該下りＡＤＳＬ回線信号ＤＳ３を、局舎側ＰＯＴＳ３０−３に送る。
【００８１】
局舎側ＰＯＴＳ３０−１は、ＡＤＳＬ回線インタフェース部２４ａ−１からの下りＡＤＳＬ回線信号ＤＳ１をＡＤＳＬ回線２０３−１に送出し、局舎側ＰＯＴＳ３０−２は、ＡＤＳＬ回線インタフェース部２４ａ−２からの下りＡＤＳＬ回線信号ＤＳ２をＡＤＳＬ回線２０３−２に送出し、局舎側ＰＯＴＳ３０−３は、ＡＤＳＬ回線インタフェース部２４ａ−３からの下りＡＤＳＬ回線信号ＤＳ３をＡＤＳＬ回線２０３−３に送出する。
【００８２】
端末側ＰＯＴＳ４０−１は、ＡＤＳＬ回線２０３−１から下りＡＤＳＬ回線信号ＤＳ１を受け、該下りＡＤＳＬ回線信号ＤＳ１を多重分離装置５０ａのＡＤＳＬ回線インタフェース部６０ａ−１に送り、端末側ＰＯＴＳ４０−２は、ＡＤＳＬ回線２０３−２から下りＡＤＳＬ回線信号ＤＳ２を受け、該下りＡＤＳＬ回線信号ＤＳ２をＡＤＳＬ回線インタフェース部６０ａ−２に送り、端末側ＰＯＴＳ４０−３は、ＡＤＳＬ回線２０３−３から下りＡＤＳＬ回線信号ＤＳ３を受け、該下りＡＤＳＬ回線信号ＤＳ３をＡＤＳＬ回線インタフェース部６０ａ−３に送る。
【００８３】
ＡＤＳＬ回線インタフェース部６０ａ−１は、端末側ＰＯＴＳ４０−１からの下りＡＤＳＬ回線信号ＤＳ１より、ＡＴＭセルＰ（１）を取り出し、このＡＴＭセルを多重分離部５１ａに送り、ＡＤＳＬ回線インタフェース部６０ａ−２は、端末側ＰＯＴＳ４０−２からの下りＡＤＳＬ回線信号ＤＳ２より、ＡＴＭセルを取り出し、このＡＴＭセルＰ（２）を多重分離部５１ａに送り、ＡＤＳＬ回線インタフェース部６０ａ−３は、端末側ＰＯＴＳ４０−３からの下りＡＤＳＬ回線信号ＤＳ３より、ＡＴＭセルＰ（３）を取り出し、このＡＴＭセルＰ（３）を多重分離部５１ａに送る。
【００８４】
多重分離部５１ａは、ＡＤＳＬ回線インタフェース部６０ａ−１からのＡＴＭセルＰ（１）とＡＤＳＬ回線インタフェース部６０ａ−２からのＡＴＭセルＰ（２）とＡＤＳＬ回線インタフェース部６０ａ−３からのＡＴＭセルＰ（３）とを多重し、多重されたＡＴＭセルをＶＤＳＬ回線インタフェース７１−１に送る。
【００８５】
ＶＤＳＬ回線インタフェース７１−１は、多重分離部５１ａからの多重されたＡＴＭセルをＶＤＳＬ回線信号に変換し、このＶＤＳＬ回線信号を第２宅内側ＰＯＴＳ１１０−１に送信する。
【００８６】
第２宅内側ＰＯＴＳ１１０−１は、ＶＤＳＬ回線インタフェース７１−１からのＶＤＳＬ回線信号を、さらに、第１宅内側ＰＯＴＳ１３０−１に送る。
【００８７】
第１宅内側ＰＯＴＳ１３０−１は、第２宅内側ＰＯＴＳ１１０−１からのＶＤＳＬ回線信号を、ＶＤＳＬモデム１２０−１に送る。
【００８８】
ＶＤＳＬモデム１２０−１は、ＶＤＳＬ回線信号からＡＴＭセルを取り出し、このＡＴＭセルを端末インタフェース信号に変換して端末装置８０−１に送る。
【００８９】
次に、端末装置８０−１からＤＳＬＡＭ２０ａに、ＡＴＭセルを複数のＡＤＳＬ回線を利用して送る動作を説明する。
【００９０】
図５と図４を参照して、端末装置８０−１は、複数のＡＴＭセルＰ（１）、Ｐ（２）、〜、Ｐ（ｎ）を生成し、これらのＡＴＭセルＰ（１）、Ｐ（２）、〜、Ｐ（ｎ）を端末インタフェース信号に変換し、この端末インタフェース信号をＶＤＳＬモデム１２０−１に送る。
【００９１】
ＶＤＳＬモデム１２０−１は、端末装置８０−１からのＡＴＭセルＰ（１）、Ｐ（２）、〜、Ｐ（ｎ）をＶＤＳＬ回線信号に変換し、このＶＤＳＬ回線信号を第１宅内側ＰＯＴＳ１３０−１に送る。
【００９２】
第１宅内側ＰＯＴＳ１３０−１は、ＶＤＳＬモデム１２０−１からのＶＤＳＬ回線信号を、さらに、第２宅内側ＰＯＴＳ１１０−１に送る。
【００９３】
第２宅内側ＰＯＴＳ１１０−１は、第１宅内側ＰＯＴＳ１３０−１からのＶＤＳＬ回線信号を、多重分離装置５０ａのＶＤＳＬ回線インタフェース７１−１に送る。
【００９４】
ＶＤＳＬ回線インタフェース７１−１は、第２宅内側ＰＯＴＳ１１０−１からのＶＤＳＬ回線信号より、複数のＶＤＳＬ回線インタフェース７１−１Ｐ（１）、Ｐ（２）、〜、Ｐ（ｎ）を取り出し、これらのＡＴＭセルＰ（１）、Ｐ（２）、〜、Ｐ（ｎ）を多重分離部５１ａに送る。
【００９５】
多重分離部５１ａは、ＶＤＳＬ回線インタフェース７１−１からの複数のＡＴＭセルＰ（１）、Ｐ（２）、〜、Ｐ（ｎ）を、ＡＴＭセルごとに、複数方路に振り分ける、すなわち、ＡＴＭセルＰ（１）をＡＤＳＬ回線インタフェース部６０ａ−１に、ＡＴＭセルＰ（２）をＡＤＳＬ回線インタフェース部６０ａ−２に、ＡＴＭセルＰ（３）をＡＤＳＬ回線インタフェース部６０ａ−３に、振り分ける。さらに、多重分離部５１ａは、同様に、以降のＡＴＭセルＰ（４）、〜、Ｐ（ｎ）を、ＡＴＭセルごとに、当該ＡＤＳＬ回線インタフェース部６０ａに順番に振り分ける。以降の説明では、ＡＴＭセルＰ（１）、Ｐ（２）、Ｐ（３）のみに着目して説明する。
【００９６】
ＡＤＳＬ回線インタフェース部６０ａ−１は、多重分離部５１ａからのＡＴＭセルＰ（１）を上りＡＤＳＬ回線信号ＵＳ１に変換し、該上りＡＤＳＬ回線信号ＵＳ１を端末側ＰＯＴＳ４０−１に送る。同様に、ＡＤＳＬ回線インタフェース部６０ａ−２は、多重分離部５１ａからのＡＴＭセルＰ（２）を上りＡＤＳＬ回線信号ＵＳ２に変換し、該上りＡＤＳＬ回線信号ＵＳ２を端末側ＰＯＴＳ４０−２に送る。また、同様に、ＡＤＳＬ回線インタフェース部６０ａ−３は、多重分離部５１ａからのＡＴＭセルＰ（３）を上りＡＤＳＬ回線信号ＵＳ３に変換し、該上りＡＤＳＬ回線信号ＵＳ３を端末側ＰＯＴＳ４０−３に送る。
【００９７】
端末側ＰＯＴＳ４０−１は、ＡＤＳＬ回線インタフェース部６０−１からの上りＡＤＳＬ回線信号ＵＳ１をＡＤＳＬ回線２０３−１に送出し、端末側ＰＯＴＳ４０−２は、ＡＤＳＬ回線インタフェース部６０−２からの上りＡＤＳＬ回線信号ＵＳ２をＡＤＳＬ回線２０３−２に送出し、端末側ＰＯＴＳ４０−３は、ＡＤＳＬ回線インタフェース部６０−３からの上りＡＤＳＬ回線信号ＵＳ３をＡＤＳＬ回線２０３−３に送出する。
【００９８】
局舎側ＰＯＴＳ３０−１は、ＡＤＳＬ回線２０３−１から上りＡＤＳＬ回線信号ＵＳ１を受け、該上りＡＤＳＬ回線信号ＵＳ１をＤＳＬＡＭ２０ａのＡＤＳＬ回線インタフェース部２４ａ−１に送り、局舎側ＰＯＴＳ３０−２は、ＡＤＳＬ回線２０３−２から上りＡＤＳＬ回線信号ＵＳ２を受け、該上りＡＤＳＬ回線信号ＵＳ２をＡＤＳＬ回線インタフェース部２４ａ−２に送り、局舎側ＰＯＴＳ３０−３は、ＡＤＳＬ回線２０３−３から上りＡＤＳＬ回線信号ＵＳ３を受け、該上りＡＤＳＬ回線信号ＵＳ３をＡＤＳＬ回線インタフェース部２４ａ−３に送る。
【００９９】
ＡＤＳＬ回線インタフェース部２４ａ−１は、局舎側ＰＯＴＳ３０−１からの上りＡＤＳＬ回線信号ＵＳ１より、ＡＴＭセルＰ（１）を取り出し、このＡＴＭセルＰ（１）をパケット多重分離部２３ａに送り、ＡＤＳＬ回線インタフェース部２４ａ−２は局舎側ＰＯＴＳ３０−２からの上りＡＤＳＬ回線信号ＵＳ２より、ＡＴＭセルＰ（２）を取り出し、このＡＴＭセルＰ（２）をパケット多重分離部２３ａに送り、ＡＤＳＬ回線インタフェース部２４ａ−３は、局舎側ＰＯＴＳ３０−３からの上りＡＤＳＬ回線信号ＵＳ３より、ＡＴＭセルＰ（３）を取り出し、このＡＴＭセルＰ（３）をパケット多重分離部２３ａに送る。
【０１００】
パケット多重分離部２３ａは、ＡＤＳＬ回線インタフェース部２４ａ−１からのＡＴＭセルＰ（１）とＡＤＳＬ回線インタフェース部２４ａ−２からのＡＴＭセルＰ（２）とＡＤＳＬ回線インタフェース部２４ａ−３からのＡＴＭセルＰ（３）とを多重し、多重されたＡＴＭセルをパケット受信部２２ａに送る。
【０１０１】
以上、説明したように、本発明は、単体の端末装置とデジタル加入者線アクセス装置（ＤＳＬＡＭ）との通信が、複数のＡＤＳＬ回線が多重されて構成された多重ＡＤＳＬ回線により行われるよう構成されているので、端末装置とデジタル加入者線アクセス装置（ＤＳＬＡＭ）間の回線帯域が増大し、端末装置からの高速データによるアクセスが実現できる。
【図面の簡単な説明】
【０１０２】
【図１】本発明の第１の実施形態によるアクセスシステムの構成ブロック図である。
【図２】下りＡＤＳＬ回線信号の流れを示す図である。
【図３】上りＡＤＳＬ回線信号の流れを示す図である。
【図４】回線の多重と分離を説明する図である。
【図５】本発明の第２の実施形態によるアクセスシステムの構成ブロック図である。
【図６】ＡＤＳＬ回線の電力スペクトラムを示す図である。
【図７】ＡＤＳＬの階層を示す図である。
【図８】ＡＴＭセルの構成を示す図である。
【符号の説明】
【０１０３】
１０    電話交換機
２０    ＤＳＬＡＭ
３０    局舎側ＰＯＴＳ
４０    端末側ＰＯＴＳ
５０    多重分離装置
５１    多重分離部
５２    プログラム記憶部
５３    制御部
６０    ＡＤＳＬ回線インタフェース部
７０    ＥＴＨＥＲ（登録商標）回線インタフェース
７１    ＶＤＳＬ回線インタフェース
８０    端末装置
９０    電話機
１１０    第２宅内側ＰＯＴＳ
１２０    ＶＤＳＬモデム
１３０    第１宅内側ＰＯＴＳ
２０１    局舎側電話回線
２０２    局舎側モデム回線
２０３−１、２０３−２、２０３−３    ＡＤＳＬ回線
２０４    端末側電話回線
２０５    端末側モデム回線
２０６    ＥＴＨＥＲ（登録商標）回線
２０７    ＶＤＳＬ回線
２０８    ＶＤＳＬモデム回線
２０９    部屋側電話回線
２１０    部屋側ＶＤＳＬ回線
２１１    端末側ＶＤＳＬ回線
【図１】
2005072886.tif 000003
【図２】
2005072886.tif 000004
【図３】
2005072886.tif 000005
【図４】
2005072886.tif 000006
【図５】
2005072886.tif 000007
【図６】
2005072886.tif 000008
【図７】
2005072886.tif 000009
【図８】
2005072886.tif 000010